【手続補正書】
【提出日】平成18年11月27日(2006.11.27)
【手続補正１】
【補正対象書類名】明細書
【補正対象項目名】発明の名称
【補正方法】変更
【補正の内容】
【発明の名称】遊技用システム
【手続補正２】
【補正対象書類名】明細書
【補正対象項目名】特許請求の範囲
【補正方法】変更
【補正の内容】
【特許請求の範囲】
【請求項１】  外部機器と非接触にて通信するための非接触通信機能を具備した遊技者が携行する携帯端末に記憶されている遊技に使用可能な遊技用価値の大きさを特定可能な価値特定情報を、該携帯端末から非接触にて直接受信するための非接触通信手段と、
該非接触通信手段を介して受信した価値特定情報から遊技用価値の大きさを特定するための遊技用価値特定手段と、
該遊技用価値特定手段にて特定した遊技用価値の大きさの少なくとも一部を遊技に使用させるための遊技使用処理を行う遊技使用処理手段と、
を備える遊技用装置と、
該遊技用装置とデータ通信可能とされ、前記価値特定情報に対応付けて、該価値特定情報から特定される遊技用価値の大きさの前記遊技用装置における使用状況を管理する管理装置と、
を有する遊技用システムであって、
前記遊技用装置は、
前記非接触通信手段を介して価値特定情報を受信したことに基づいて、該価値特定情報を含む使用要求を前記管理装置に送信する使用要求送信手段と、
遊技の終了に基づいて、前記価値特定情報を含む終了要求を前記管理装置に送信する終了要求送信手段と、
を有し、
前記管理装置は、
前記使用要求を受信したことに基づいて、該使用要求に含まれる価値特定情報に対応する使用状況を使用中である旨に更新する一方、前記終了要求を受信したことに基づいて、該終了要求に含まれる価値特定情報に対応する使用状況を未使用である旨に更新する使用状況更新手段と、
前記使用要求を受信したことに基づいて、該使用要求に含まれる価値特定情報に対応する使用状況が使用中であるか否か判定する使用状況判定手段と、
を有し、
該使用状況判定手段により使用中であると判定されたことに基づいて、前記使用要求に含まれる価値特定情報から特定される遊技用価値の大きさの遊技への使用を許容しない旨を前記遊技用装置に返信する
ことを特徴とする遊技用システム。
【請求項２】  前記遊技用装置は、貨幣或いは発行金額を決済可能な情報を受付けるための決済価値受付け手段を有するとともに、
前記遊技用システムは、前記決済価値受付け手段にて受付けた貨幣金額の範囲内の所定額或いは前記受付けた発行金額に相当する遊技用価値の大きさを、前記価値特定情報から特定した遊技用価値の大きさに加算更新し、該新たな大きさの遊技用価値を遊技に使用可能とする遊技用価値付与手段を備える請求項１に記載の遊技用システム。
【請求項３】  貨幣或いは発行金額を決済可能な情報を受付けるための決済価値受付け手段と、
少なくとも該受付けた貨幣金額の範囲内の所定額或いは前記受付けた発行金額に相当する遊技用価値の大きさを特定可能な価値特定情報を、前記携帯端末に対して非接触にて直接送信するための非接触通信手段と、
を具備する発行装置を有する請求項１または２に記載の遊技用システム。
【請求項４】  前記発行装置は、
前記価値特定情報を遊技用記録媒体に読み取り可能に記録して発行するための遊技用記録媒体発行手段と、
価値特定情報の発行形態を、前記携帯端末或いは遊技用記録媒体のいずれとするかを受け付けるための発行形態受付け手段と、
を具備する請求項３に記載の遊技用システム。
【請求項５】  前記管理装置は、前記発行装置とデータ通信可能とされ、該発行装置にて発行に使用される価値特定情報を新規に生成して発行装置に送信する請求項３または４に記載の遊技用システム。
【請求項６】  貨幣を払い出すための貨幣払出手段と、
少なくとも前記携帯端末に記憶されている前記価値特定情報を、該携帯端末から非接触にて直接受信するための非接触通信手段と、
を備え、
前記携帯端末から受信した価値特定情報から特定した遊技用価値の大きさが対応する金額の貨幣を、前記貨幣払出手段から払い出す精算装置を有する請求項１〜５のいずれかに記載の遊技用システム。
【請求項７】  前記管理装置は、前記精算装置とデータ通信可能とされ、該精算装置から送信される前記携帯端末から受信した価値特定情報に基づいて、該価値特定情報に基づく認証処理を行い、該認証結果を前記精算装置に返信し、
該精算装置は、該返信された認証結果が精算可能である旨であることを条件に前記貨幣の払い出しを実施する請求項６に記載の遊技用システム。
【請求項８】  前記非接触通信手段は、通信の完了を報知するための報知手段を具備する請求項１〜７のいずれかに記載の遊技用システム。
【請求項９】  前記非接触通信手段が、所定波長の赤外線を用いて通信を行う赤外線通信である請求項１〜８のいずれかに記載の遊技用システム。
【手続補正３】
【補正対象書類名】明細書
【補正対象項目名】０００１
【補正方法】変更
【補正の内容】
【０００１】
【発明の属する技術分野】
本発明は、遊技者が所持している携帯電話等の情報端末を用いて遊技を行うことのできる遊技用システムに関する。
【手続補正４】
【補正対象書類名】明細書
【補正対象項目名】０００７
【補正方法】変更
【補正の内容】
【０００７】
【課題を解決するための手段】
上記課題を解決するために、本発明の遊技用システムは、
外部機器と非接触にて通信するための非接触通信機能を具備した遊技者が携行する携帯端末に記憶されている遊技に使用可能な遊技用価値の大きさを特定可能な価値特定情報を、該携帯端末から非接触にて直接受信するための非接触通信手段と、
該非接触通信手段を介して受信した価値特定情報から遊技用価値の大きさを特定するための遊技用価値特定手段と、
該遊技用価値特定手段にて特定した遊技用価値の大きさの少なくとも一部を遊技に使用させるための遊技使用処理を行う遊技使用処理手段と、
を備える遊技用装置と、
該遊技用装置とデータ通信可能とされ、前記価値特定情報に対応付けて、該価値特定情報から特定される遊技用価値の大きさの前記遊技用装置における使用状況を管理する管理装置と、
を有する遊技用システムであって、
前記遊技用装置は、
前記非接触通信手段を介して価値特定情報を受信したことに基づいて、該価値特定情報を含む使用要求を前記管理装置に送信する使用要求送信手段と、
遊技の終了に基づいて、前記価値特定情報を含む終了要求を前記管理装置に送信する終了要求送信手段と、
を有し、
前記管理装置は、
前記使用要求を受信したことに基づいて、該使用要求に含まれる価値特定情報に対応する使用状況を使用中である旨に更新する一方、前記終了要求を受信したことに基づいて、該終了要求に含まれる価値特定情報に対応する使用状況を未使用である旨に更新する使用状況更新手段と、
前記使用要求を受信したことに基づいて、該使用要求に含まれる価値特定情報に対応する使用状況が使用中であるか否か判定する使用状況判定手段と、
を有し、
該使用状況判定手段により使用中であると判定されたことに基づいて、前記使用要求に含まれる価値特定情報から特定される遊技用価値の大きさの遊技への使用を許容しない旨を前記遊技用装置に返信する
ことを特徴としている。
この特徴によれば、前記遊技使用処理を行う遊技用装置に、前記携帯端末と非接触にて直接受信するための非接触通信手段を備えることで、遊技使用処理に携帯端末の通信回線による通信を使用する必要が無くなり、該携帯端末から価値特定情報を前記非接触通信手段を通じて直接受信できるようになるため、遊技使用処理に長い時間を要したり、貸出を受けられない場合が生じることが少なく、よって遊技者は円滑な遊技使用処理を受けることができる。また、同一の価値特定情報から特定される遊技用価値の大きさが重複して使用されることを回避するようになっている。
【手続補正５】
【補正対象書類名】明細書
【補正対象項目名】０００８
【補正方法】変更
【補正の内容】
【０００８】
本発明の遊技用システムは、前記遊技用装置は、貨幣或いは発行金額を決済可能な情報を受付けるための決済価値受付け手段を有するとともに、
前記遊技用システムは、前記決済価値受付け手段にて受付けた貨幣金額の範囲内の所定額或いは前記受付けた発行金額に相当する遊技用価値の大きさを、前記価値特定情報から特定した遊技用価値の大きさに加算更新し、該新たな大きさの遊技用価値を遊技に使用可能とする遊技用価値付与手段を備えることが好ましい。
このようにすれば、遊技者は、前記遊技用装置に貨幣或いは発行金額を決済可能な情報を投入或いは入力することで、遊技に使用できる遊技用価値の大きさを増加させることができ、遊技者の利便性を向上できる。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
本発明の遊技用システムは、貨幣或いは発行金額を決済可能な情報を受付けるための決済価値受付け手段と、
少なくとも該受付けた貨幣金額の範囲内の所定額或いは前記受付けた発行金額に相当する遊技用価値の大きさを特定可能な価値特定情報を、前記携帯端末に対して非接触にて直接送信するための非接触通信手段と、
を具備する発行装置を有することが好ましい。
このようにすれば、遊技者は、貨幣或いは発行金額を決済可能な情報を投入或いは入力することで、価値特定情報の発行を簡便に受けることができる。
【手続補正８】
【補正対象書類名】明細書
【補正対象項目名】００１１
【補正方法】変更
【補正の内容】
【００１１】
本発明の遊技用システムは、前記発行装置は、
前記価値特定情報を遊技用記録媒体に読み取り可能に記録して発行するための遊技用記録媒体発行手段と、
価値特定情報の発行形態を、前記携帯端末或いは遊技用記録媒体のいずれとするかを受け付けるための発行形態受付け手段と、
を具備することが好ましい。
このようにすれば、前記携帯端末を携行していない遊技者も、遊技用記録媒体の発行を受けて遊技を実施できるようになる。
【手続補正９】
【補正対象書類名】明細書
【補正対象項目名】００１２
【補正方法】変更
【補正の内容】
【００１２】
本発明の遊技用システムは、前記管理装置は、前記発行装置とデータ通信可能とされ、該発行装置にて発行に使用される価値特定情報を新規に生成して発行装置に送信することが好ましい。
このようにすれば、新規に生成される価値特定情報が一元的に管理されるので、これら価値特定情報が重複すること等による不都合を解消できる。
【手続補正１０】
【補正対象書類名】明細書
【補正対象項目名】００１３
【補正方法】変更
【補正の内容】
【００１３】
本発明の遊技用システムは、貨幣を払い出すための貨幣払出手段と、
少なくとも前記携帯端末に記憶されている前記価値特定情報を、該携帯端末から非接触にて直接受信するための非接触通信手段と、
を備え、
前記携帯端末から受信した価値特定情報から特定した遊技用価値の大きさが対応する金額の貨幣を、前記貨幣払出手段から払い出す精算装置を有することが好ましい。
このようにすれば、遊技者は、使用しなかった遊技用価値の大きさを簡便に貨幣に交換することができる。
【手続補正１１】
【補正対象書類名】明細書
【補正対象項目名】００１４
【補正方法】変更
【補正の内容】
【００１４】
本発明の遊技用システムは、前記管理装置は、前記精算装置とデータ通信可能とされ、該精算装置から送信される前記携帯端末から受信した価値特定情報に基づいて、該価値特定情報に基づく認証処理を行い、該認証結果を前記精算装置に返信し、
該精算装置は、該返信された認証結果が精算可能である旨であることを条件に前記貨幣の払い出しを実施することが好ましい。
このようにすれば、携帯端末に記憶された価値特定情報の改竄等による不正な精算が実施されることを防止できる。
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】０１００
【補正方法】変更
【補正の内容】
【０１００】
前記各実施例における各要素は、本発明に対して以下のように対応している。
外部機器と非接触にて通信するための非接触通信機能を具備した遊技者が携行する携帯端末（携帯電話７）に記憶されている遊技に使用可能な遊技用価値（度数）の大きさを特定可能な価値特定情報（プリペイドＩＤ）を、該携帯端末（携帯電話７）から非接触にて直接受信するための非接触通信手段（赤外線通信ユニット３１０）と、
該非接触通信手段（赤外線通信ユニット３１０）を介して受信した価値特定情報（プリペイドＩＤ）から遊技用価値（度数）の大きさを特定するための遊技用価値特定手段（管理コンピュータ６）と、
該遊技用価値特定手段（管理コンピュータ６）にて特定した遊技用価値（度数）の大きさの少なくとも一部を遊技に使用させるための遊技使用処理（貸出処理）を行う遊技使用処理手段と、
を備える遊技用装置（貸出ユニット３）と、
該遊技用装置とデータ通信可能とされ、前記価値特定情報（プリペイドＩＤ）に対応付けて、該価値特定情報（プリペイドＩＤ）から特定される遊技用価値（度数）の大きさの前記遊技用装置（貸出ユニット３）における使用状況を管理する管理装置（管理コンピュータ６）と、
を有する遊技用システムであって、
前記遊技用装置（貸出ユニット３）は、
前記非接触通信手段（赤外線通信ユニット３１０）を介して価値特定情報（プリペイドＩＤ）を受信したことに基づいて、該価値特定情報（プリペイドＩＤ）を含む使用要求を前記管理装置（管理コンピュータ６）に送信する使用要求送信手段と、
遊技の終了に基づいて、前記価値特定情報（プリペイドＩＤ）を含む終了要求を前記管理装置（管理コンピュータ６）に送信する終了要求送信手段と、
を有し、
前記管理装置（管理コンピュータ６）は、
前記使用要求を受信したことに基づいて、該使用要求に含まれる価値特定情報（プリペイドＩＤ）に対応する使用状況を使用中である旨に更新する一方、前記終了要求を受信したことに基づいて、該終了要求に含まれる価値特定情報（プリペイドＩＤ）に対応する使用状況を未使用である旨に更新する使用状況更新手段と、
前記使用要求を受信したことに基づいて、該使用要求に含まれる価値特定情報（プリペイドＩＤ）に対応する使用状況が使用中であるか否か判定する使用状況判定手段と、
を有し、
該使用状況判定手段により使用中であると判定されたことに基づいて、前記使用要求に含まれる価値特定情報（プリペイドＩＤ）から特定される遊技用価値（度数）の大きさの遊技への使用を許容しない旨（使用不可）を前記遊技用装置（貸出ユニット３）に返信する。
【手続補正１７】
【補正対象書類名】明細書
【補正対象項目名】０１０１
【補正方法】変更
【補正の内容】
【０１０１】
本発明の請求項２は、前記遊技用装置（貸出ユニット３）は、貨幣（１０００円紙幣）或いは発行金額を決済可能な情報を受付けるための決済価値受付け手段（紙幣識別ユニット３２５）を有するとともに、
前記遊技用システムは、前記決済価値受付け手段（紙幣識別ユニット３２５）にて受付けた貨幣金額の範囲内の所定額或いは前記受付けた発行金額に相当する遊技用価値（度数）の大きさを、前記価値特定情報（管理コンピュータ６）から特定した遊技用価値（度数）の大きさに加算更新し、該新たな大きさの遊技用価値（度数）を遊技に使用可能とする遊技用価値付与手段（管理コンピュータ６）を備える。
【手続補正１８】
【補正対象書類名】明細書
【補正対象項目名】０１０２
【補正方法】削除
【補正の内容】
【手続補正１９】
【補正対象書類名】明細書
【補正対象項目名】０１０３
【補正方法】変更
【補正の内容】
【０１０３】
本発明の請求項３は、貨幣或いは発行金額を決済可能な情報を受付けるための決済価値受付け手段（紙幣識別ユニット４１５）と、
少なくとも該受付けた貨幣金額の範囲内の所定額或いは前記受付けた発行金額に相当する価値特定情報（プリペイドＩＤ）を、前記携帯端末（携帯電話７）に対して非接触にて直接送信するための非接触通信手段（赤外線通信ユニット４１６）と、
を具備する発行装置（プリペイド発行機４）を有する。
【手続補正２０】
【補正対象書類名】明細書
【補正対象項目名】０１０４
【補正方法】変更
【補正の内容】
【０１０４】
本発明の請求項４は、前記発行装置（プリペイド発行機４）は、
前記価値特定情報（プリペイドＩＤ）を遊技用記録媒体（プリペイドカード）に読み取り可能に記録して発行するための遊技用記録媒体発行手段（カードリーダライタ４１８）と、
価値特定情報（プリペイドＩＤ）の発行形態を、前記携帯端末（携帯電話７）或いは遊技用記録媒体（プリペイドカード）のいずれとするかを受け付けるための発行形態受付け手段（カード選択ボタン４０２、携帯選択ボタン４０３）と、
を具備する。
【手続補正２１】
【補正対象書類名】明細書
【補正対象項目名】０１０５
【補正方法】変更
【補正の内容】
【０１０５】
本発明の請求項５は、前記管理装置（管理コンピュータ６）は、前記発行装置（プリペイド発行機４）とデータ通信可能とされ、該発行装置（プリペイド発行機４）にて発行に使用される価値特定情報（プリペイドＩＤ）を新規に生成して発行装置（プリペイド発行機４）に送信する。
【手続補正２２】
【補正対象書類名】明細書
【補正対象項目名】０１０６
【補正方法】変更
【補正の内容】
【０１０６】
本発明の請求項６は、貨幣を払い出すための貨幣払出手段（紙幣払出ユニット５１９、硬貨払出ユニット５１７）と、
少なくとも前記携帯端末（携帯電話７）に記憶されている前記価値特定情報（プリペイドＩＤ）を、該携帯端末（携帯電話７）から非接触にて直接受信するための非接触通信手段（赤外線通信ユニット５１５）と、
を備え、
前記携帯端末（携帯電話７）から受信した価値特定情報（プリペイドＩＤ）から特定した遊技用価値（度数）の大きさが対応する金額の貨幣を、前記貨幣払出手段（紙幣払出ユニット５１９、硬貨払出ユニット５１７）から払い出す精算装置（プリペイド精算機５）を有する。
【手続補正２３】
【補正対象書類名】明細書
【補正対象項目名】０１０７
【補正方法】変更
【補正の内容】
【０１０７】
本発明の請求項７は、前記管理装置（管理コンピュータ６）は、前記精算装置（プリペイド精算機５）とデータ通信可能とされ、該精算装置（プリペイド精算機５）から送信される前記携帯端末（携帯電話７）から受信した価値特定情報（プリペイドＩＤ）に基づいて、該価値特定情報（プリペイドＩＤ）に基づく認証処理を行い、該認証結果を前記精算装置（プリペイド精算機５）に返信し、
該精算装置（プリペイド精算機５）は、該返信された認証結果が精算可能である旨であることを条件に前記貨幣の払い出しを実施する。
【手続補正２４】
【補正対象書類名】明細書
【補正対象項目名】０１０８
【補正方法】変更
【補正の内容】
【０１０８】
本発明の請求項８は、前記非接触通信手段（赤外線通信ユニット３１０、４１６、５１５）は、通信の完了を報知するための報知手段（通信完了ランプ３０３、４０６、５０８）を具備する。
【手続補正２５】
【補正対象書類名】明細書
【補正対象項目名】０１０９
【補正方法】変更
【補正の内容】
【０１０９】
本発明の請求項９は、前記非接触通信手段（赤外線通信ユニット３１０、４１６、５１５）が、所定波長の赤外線を用いて通信を行う赤外線通信である。
【手続補正２６】
【補正対象書類名】明細書
【補正対象項目名】０１１０
【補正方法】削除
【補正の内容】
【手続補正２７】
【補正対象書類名】明細書
【補正対象項目名】０１１１
【補正方法】削除
【補正の内容】
【手続補正２８】
【補正対象書類名】明細書
【補正対象項目名】０１１２
【補正方法】削除
【補正の内容】
【手続補正２９】
【補正対象書類名】明細書
【補正対象項目名】０１１３
【補正方法】削除
【補正の内容】
【手続補正３０】
【補正対象書類名】明細書
【補正対象項目名】０１３７
【補正方法】変更
【補正の内容】
【０１３７】
【発明の効果】
本発明は次の効果を奏する。
（ａ）請求項１の発明によれば、前記遊技使用処理を行う遊技用装置に、前記携帯端末と非接触にて直接受信するための非接触通信手段を備えることで、遊技使用処理に携帯端末の通信回線による通信を使用する必要が無くなり、該携帯端末から価値特定情報を前記非接触通信手段を通じて直接受信できるようになるため、遊技使用処理に長い時間を要したり、貸出を受けられない場合が生じることが少なく、よって遊技者は円滑な遊技使用処理を受けることができる。また、同一の価値特定情報から特定される遊技用価値の大きさが重複して使用されることを回避するようになっている。
【手続補正３１】
【補正対象書類名】明細書
【補正対象項目名】０１３９
【補正方法】削除
【補正の内容】
【手続補正３２】
【補正対象書類名】明細書
【補正対象項目名】０１４０
【補正方法】変更
【補正の内容】
【０１４０】
（ｃ）請求項３の発明によれば、遊技者は、貨幣或いは発行金額を決済可能な情報を投入或いは入力することで、価値特定情報の発行を簡便に受けることができる。
【手続補正３３】
【補正対象書類名】明細書
【補正対象項目名】０１４１
【補正方法】変更
【補正の内容】
【０１４１】
（ｄ）請求項４の発明によれば、前記携帯端末を携行していない遊技者も、遊技用記録媒体の発行を受けて遊技を実施できるようになる。
【手続補正３４】
【補正対象書類名】明細書
【補正対象項目名】０１４２
【補正方法】変更
【補正の内容】
【０１４２】
（ｅ）請求項５の発明によれば、新規に生成される価値特定情報が一元的に管理されるので、これら価値特定情報が重複すること等による不都合を解消できる。
【手続補正３５】
【補正対象書類名】明細書
【補正対象項目名】０１４３
【補正方法】変更
【補正の内容】
【０１４３】
（ｆ）請求項６の発明によれば、遊技者は、使用しなかった遊技用価値の大きさを簡便に貨幣に交換することができる。
【手続補正３６】
【補正対象書類名】明細書
【補正対象項目名】０１４４
【補正方法】変更
【補正の内容】
【０１４４】
（ｇ）請求項７の発明によれば、携帯端末に記憶された価値特定情報の改竄等による不正な精算が実施されることを防止できる。
【手続補正３７】
【補正対象書類名】明細書
【補正対象項目名】０１４５
【補正方法】変更
【補正の内容】
【０１４５】
（ｈ）請求項８の発明によれば、遊技者は、通信の完了を容易に把握できる。
【手続補正３８】
【補正対象書類名】明細書
【補正対象項目名】０１４６
【補正方法】変更
【補正の内容】
【０１４６】
（ｉ）請求項９の発明によれば、隣接する遊技用装置等において電波等が干渉することによる影響がなく、安定した非接触通信を実施できる。
【手続補正３９】
【補正対象書類名】明細書
【補正対象項目名】０１４７
【補正方法】削除
【補正の内容】
【手続補正４０】
【補正対象書類名】明細書
【補正対象項目名】０１４８
【補正方法】削除
【補正の内容】
【手続補正４１】
【補正対象書類名】明細書
【補正対象項目名】０１４９
【補正方法】削除
【補正の内容】
【手続補正４２】
【補正対象書類名】明細書
【補正対象項目名】０１５０
【補正方法】削除
【補正の内容】